(57)【要約】【課題】異常な状態が生じているか否かを判断して当該判断結果に基づいて緊急警報放送の通知の有無を制御することが可能な通信装置を提供する。【解決手段】通信装置は、デジタル放送の放送波を受信する通信装置であって、放送波の伝送制御信号に緊急放送信号が含まれているか否かを判断する緊急放送信号監視部と、受信した緊急放送信号に従い、デジタル放送の放送波を受信して再生することが可能な外部機器の動作を指示する信号を出力する出力制御部と、外部機器の状態を監視する状態監視部とを備える。出力制御部は、状態監視部の監視結果に基づいて信号を出力する。【選択図】図２
2014042227.tif 000002
【特許請求の範囲】
【請求項１】
デジタル放送の放送波を受信することが可能な通信装置であって、
前記放送波の伝送制御信号に従い緊急放送信号が含まれているか否かを判断する緊急放送信号監視部と、
受信した緊急放送信号に従い、デジタル放送の放送波を受信して再生することが可能な外部機器の動作を指示する信号を出力する出力制御部と、
前記外部機器の状態を監視する状態監視部とを備え、
前記出力制御部は、前記状態監視部の監視結果に基づいて前記外部機器の動作を指示する信号を出力する、通信装置。
【請求項２】
前記受信した緊急放送信号に応答して、当該緊急放送信号を受信した旨を通知する通知手段をさらに備える、請求項１記載の通信装置。
【請求項３】
前記状態監視部は、
加速度センサあるいは角速度センサと、
前記加速度センサあるいは角速度センサのセンサ信号に基づいて前記外部機器の状態が異常であることを示す異常信号を出力する異常信号生成部とを含む、請求項１記載の通信装置。
【請求項４】
前記出力制御部は、前記異常信号生成部から出力された異常信号を受けた場合には、前記外部機器の動作を指示する信号を出力しない、請求項３記載の通信装置。
【請求項５】
前記出力制御部は、前記異常信号生成部から出力された異常信号を受けた場合には、前記外部機器の動作の停止を指示する信号を出力する、請求項３記載の通信装置。
【請求項６】
前記デジタル放送の放送波のチャンネルリストを生成するチャンネルリスト生成手段をさらに備える、請求項１記載の通信装置。
【請求項７】
前記放送波の受信する信号レベルの強度を検出する信号強度検出部をさらに備え、
前記チャンネルリスト生成手段は、前記信号強度検出部で検出された信号レベルの強度に基づいてチャンネルリストを生成する、請求項６記載の通信装置。
【請求項８】
前記生成されたチャンネルリストに従って、各チャンネルに対応する前記デジタル放送の放送波を選択的に受信するための選択部と、
前記緊急放送信号監視部の判断結果に従って、前記生成されたチャンネルリストに緊急放送の有無を登録する登録部とを備える、請求項６記載の通信装置。
【請求項９】
所定のチャンネルに対応するデジタル放送の放送波は、緊急放送コンテンツを含み、
出力制御部は、前記緊急放送信号を受信した場合に、前記所定のチャンネルに関する情報を前記外部機器に出力する、請求項１〜８のいずれかに記載の通信装置。
【請求項１０】
前記緊急放送信号は、対応する地域に関する地域情報を含み、
受信した緊急放送信号に含まれる地域情報と、ユーザにより予め設定された地域情報とを比較する地域比較部をさらに備え、
前記出力制御部は、前記地域比較部の比較結果および前記状態監視部の監視結果に基づいて前記外部機器の動作を指示する信号を出力する、請求項１〜９のいずれかに記載の通信装置。
【請求項１１】
前記緊急放送信号監視部は、間欠的に動作する、請求項１〜１０のいずれかに記載の通信装置。
【請求項１２】
前記放送波とは別に、緊急状態を示す緊急制御信号を受信する緊急制御信号受信部をさらに備え、
前記出力制御部は、受信した緊急制御信号に従い、前記状態監視部の監視結果に基づいて前記外部機器の動作を指示する信号を出力する、請求項１〜１１のいずれかに記載の通信装置。
【請求項１３】
前記緊急放送信号監視部において前記緊急放送信号が含まれていると判断した場合には、前記緊急制御信号を他の通信装置に対して送信する緊急制御信号送信部をさらに備える、請求項１２記載の通信装置。
【請求項１４】
前記状態監視部の機能を有効／無効に切り替える切り替え部をさらに備え、
前記切り替え部において前記状態監視部の機能を無効にした場合には、前記出力制御部は、前記状態監視部の監視結果に関わらず前記外部機器の動作を指示する信号を出力しない、請求項１〜１３のいずれかに記載の通信装置。
【請求項１５】
前記緊急放送信号は、対応する地域に関する地域情報と、震度情報とを含み、
前記受信した緊急放送信号に応答して、当該緊急放送信号を受信した旨を通知する通知手段と、
受信した緊急放送信号に含まれる地域情報と、ユーザにより予め設定された地域情報とを比較する地域比較部とをさらに備え、
前記通知手段は、前記地域比較部の比較結果および前記緊急放送信号に含まれる震度情報に従って当該緊急放送信号を受信した旨を通知するための音声あるいは振動等の大きさ等を変化させる、請求項１記載の通信装置。
【請求項１６】
デジタル放送の放送波を受信して再生することが可能な外部機器と、
前記外部機器と接続される通信装置とを備え、
前記通信装置は、
デジタル放送の放送波を受信することが可能な受信部と、
受信した前記放送波の伝送制御信号に緊急放送信号が含まれているか否かを判断する緊急放送信号監視部と、
受信した緊急放送信号に従い、前記外部機器の動作を指示する信号を出力する出力制御部と、
前記外部機器の状態を監視する状態監視部とを含み、
前記出力制御部は、前記状態監視部の監視結果に基づいて前記信号を前記外部機器に出力する、デジタル放送受信システム。
【発明の詳細な説明】
【技術分野】
【０００１】
本発明は、主にデジタル放送の放送波を受信する通信装置およびデジタル放送受信システムに関する。
【背景技術】
【０００２】
現在、地上デジタルテレビジョン放送の伝送システムとして、例えば、ＩＳＤＢ−Ｔ（Ｉｎｔｅｇｒａｔｅｄ Ｓｅｒｖｉｃｅｓ Ｄｉｇｉｔａｌ Ｂｒｏａｄｃａｓｔｉｎｇ−Ｔｅｒｒｅｓｔｒｉａｌ）方式が実用化されている。
【０００３】
そこでは、アナログ放送から引き続き、大規模地震や津波警報、地方自治体からの要請に応じて、放送局が緊急警報放送（Ｅｍｅｒｇｅｎｃｙ Ｗａｒｎｉｎｇ Ｓｙｓｔｅｍ（ＥＷＳ））を実施した場合に、電源が入っていない地上デジタルテレビジョン放送の受信機を起動するための仕組みが設けられている。
【０００４】
例えば、受信機の復調動作に関わる情報を伝送するために設けられている、ＴＭＣＣ（Ｔｒａｎｓｍｉｓｓｉｏｎ ａｎｄ Ｍｕｌｔｉｐｌｅｘｉｎｇ Ｃｏｎｆｉｇｕｒａｔｉｏｎ Ｃｏｎｔｒｏｌ： 伝送制御）信号と呼ばれる信号がある。
【０００５】
このＴＭＣＣ信号には、緊急警報放送用起動フラグと呼ばれる、緊急警報放送に基づきビットの値を変更される情報が記載されている。この緊急警報放送用起動フラグを検出して、その値が例えば「１」である場合、緊急警報放送が行われることから、この緊急警報放送用起動フラグにより受信機を立ち上げることができる。
【０００６】
また、緊急地震速報を含む災害、防災情報等の地上デジタルテレビジョン放送における伝送のため、ＴＭＣＣ信号による起動フラグの送受信に加え、ＡＣ（ＡｕｘｉｌｉａｒｙＣｈａｎｎｅｌ）キャリアを利用する技術が開示されている。部分受信セグメント内の特定のＡＣキャリアに置かれたＡＣ信号に記述された内容に基づいて緊急警報放送の種別等を判断することが可能である。
【０００７】
この点で、ＴＭＣＣ信号あるいはＡＣ信号等に従って緊急警報放送をユーザに通知する種々の方式が提案されている（特許文献１〜６）。
【先行技術文献】
【特許文献】
【０００８】
【特許文献１】特開２００７−１２９６１４号公報
【特許文献２】特開２００９−１３５６４５号公報
【特許文献３】特開２００９−２５３８９５号公報
【特許文献４】特開２０１０−１３６３５６号公報
【特許文献５】特開２０１１−２３４０４４号公報
【特許文献６】特許第４５５５３９２号
【発明の概要】
【発明が解決しようとする課題】
【０００９】
しかしながら、地震等の緊急警報放送で、広域の地域での緊急警報放送を受信した場合に、全てのテレビジョン（テレビとも称する）を起動した場合には、その地域内の電力の供給が増大してしまう可能性がある。そして、各家庭での電力の増加によりショート等を起こす可能性がある。また、地震等によりテレビが倒れたり、落下している等の異常な状態の場合には逆にテレビを起動しない方が望ましい。
【００１０】
上記のような問題を解決するために、異常な状態が生じているか否かを判断して当該判断結果に基づいて緊急警報放送の通知の有無を制御することが可能な通信装置およびデジタル放送受信システムを提供する。
【課題を解決するための手段】
【００１１】
ある局面に従う通信装置は、デジタル放送の放送波を受信する通信装置であって、放送波の伝送制御信号に緊急放送信号が含まれているか否かを判断する緊急放送信号監視部と、受信した緊急放送信号に従い、デジタル放送の放送波を受信して再生することが可能な外部機器の動作を指示する信号を出力する出力制御部と、外部機器の状態を監視する状態監視部とを備える。出力制御部は、状態監視部の監視結果に基づいて信号を出力する。
【００１２】
好ましくは、受信した緊急放送信号に応答して、当該緊急放送信号を受信した旨を通知する通知手段をさらに備える。
【００１３】
好ましくは、状態監視部は、加速度センサあるいは角速度センサと、加速度センサあるいは角速度センサのセンサ信号に基づいて外部機器の状態が異常であることを示す異常信号を出力する異常信号生成部とを含む。
【００１４】
特に、出力制御部は、異常信号生成部から出力された異常信号を受けた場合には、外部機器の動作を指示する信号を出力しない。
【００１５】
特に、出力制御部は、異常信号生成部から出力された異常信号を受けた場合には、外部機器の動作の停止を指示する信号を出力する。
【００１６】
好ましくは、デジタル放送の放送波のチャンネルリストを生成するチャンネルリスト生成手段をさらに備える。
【００１７】
特に、放送波の受信する信号レベルの強度を検出する信号強度検出部をさらに備え、チャンネルリスト生成手段は、信号強度検出部で検出された信号レベルの強度に基づいてチャンネルリストを生成する。
【００１８】
特に、生成されたチャンネルリストに従って、各チャンネルに対応するデジタル放送の放送波を選択的に受信するための選択部と、緊急放送信号監視部の判断結果に従って、生成されたチャンネルリストに緊急放送の有無を登録する登録部とを備える。
【００１９】
好ましくは、所定のチャンネルに対応するデジタル放送の放送波は、緊急放送コンテンツを含み、出力制御部は、緊急放送信号を受信した場合に、所定のチャンネルに関する情報を外部機器に出力する。
【００２０】
好ましくは、緊急放送信号は、対応する地域に関する地域情報を含み、受信した緊急放送信号に含まれる地域情報と、ユーザにより予め設定された地域情報とを比較する地域比較部をさらに備え、出力制御部は、地域比較部の比較結果および状態監視部の監視結果に基づいて信号を出力する。
【００２１】
好ましくは、緊急放送信号監視部は、間欠的に動作する。
好ましくは、放送波とは別に、緊急状態を示す緊急制御信号を受信する緊急制御信号受信部をさらに備え、出力制御部は、受信した緊急制御信号に従い、状態監視部の監視結果に基づいて外部機器の動作を指示する信号を出力する。
【００２２】
特に、緊急放送信号監視部において緊急放送信号が含まれていると判断した場合には、緊急制御信号を他の通信装置に対して送信する緊急制御信号送信部をさらに備える。
【００２３】
好ましくは、状態監視部の機能を有効／無効に切り替える切り替え部をさらに備え、切り替え部において状態監視部の機能を無効にした場合には、出力制御部は、状態監視部の監視結果に関わらず外部機器の動作を指示する信号を出力しない。
【００２４】
好ましくは、緊急放送信号は、対応する地域に関する地域情報と、震度情報とを含み、受信した緊急放送信号に応答して、当該緊急放送信号を受信した旨を通知する通知手段と、受信した緊急放送信号に含まれる地域情報と、ユーザにより予め設定された地域情報とを比較する地域比較部とをさらに備え、通知手段は、地域比較部の比較結果および緊急放送信号に含まれる震度情報に従って当該緊急放送信号を受信した旨を通知するための音声あるいは振動等の大きさ等を変化させる。
【００２５】
ある局面に従うデジタル放送受信システムは、デジタル放送の放送波を受信して再生することが可能な外部機器と、外部機器と接続される通信装置とを備え、通信装置は、デジタル放送の放送波を受信する受信部と、受信した放送波の伝送制御信号に緊急放送信号が含まれているか否かを判断する緊急放送信号監視部と、受信した緊急放送信号に従い、外部機器の動作を指示する信号を出力する出力制御部と、外部機器の状態を監視する状態監視部とを含み、出力制御部は、状態監視部の監視結果に基づいて信号を外部機器に出力する。
【発明の効果】
【００２６】
異常な状態が生じているか否かを判断して当該判断結果に基づいて緊急警報放送の通知の有無を制御することができる。
【図面の簡単な説明】
【００２７】
【図１】本実施の形態１に従うデジタル放送受信システムの概略を説明する図である。
【図２】本実施の形態１に従うデジタル放送受信システムの機能ブロックを説明する図である。
【図３】本実施の形態１に従うＡＣ信号の構成について説明する図である。
【図４】本実施の形態１に従う通信装置からテレビジョン１００に対する起動信号を出力するフロー図である。
【図５】本実施の形態１の変形例に従うデジタル放送受信システムの機能ブロックを説明する図である。
【図６】本実施の形態１の変形例に従う通信装置からテレビジョン１００に対する起動信号を出力するフロー図である。
【図７】本実施の形態２に従う通信装置１１の機能ブロックを説明する図である。
【図８】チャンネルリスト作成部２９−２で生成されるチャンネルリストの一例について説明する図である。
【図９】本実施の形態２に従うチャンネルリストを作成するフロー図である。
【図１０】本実施の形態２に従う出力制御部３４の制御処理について説明するフロー図である。
【図１１】本実施の形態３に従うデジタル放送受信システムの機能ブロックを説明する図である。
【図１２】本実施の形態３に従う通信装置からテレビジョン１００に対する起動信号を出力するフロー図である。
【図１３】本実施の形態３の変形例に従うデジタル放送受信システムの機能ブロックを説明する図である。
【図１４】本実施の形態３の変形例に従う出力部９０における出力を制御するフロー図である。
【図１５】本実施の形態４に従うデジタル放送受信システムの概略を説明する図である。
【図１６】本実施の形態４に従うデジタル放送受信システムの機能ブロックを説明する図である。
【図１７】本実施の形態４に従う通信装置１０Ａからテレビジョン１００に対する起動信号を出力するフロー図である。
【発明を実施するための形態】
【００２８】
以下、図面を参照しつつ、本実施の形態について説明する。以下の説明では、同一の部品には同一の符号を付してある。それらの名称および機能も同じである。したがって、それらについての詳細な説明は繰り返さない。
【００２９】
（実施の形態１）
図１は、本実施の形態１に従うデジタル放送受信システムの概略を説明する図である。
【００３０】
図１を参照して、通信装置１０は、基地局２からの緊急放送（以下、緊急警報放送及び緊急地震速報を含む情報を総括して、緊急放送と称する）を伝送する地上デジタルテレビジョン放送のサービスにおいて、伝送制御信号（即ち、ＴＭＣＣ信号あるいはＡＣ信号）により伝達される緊急放送を受信する装置であり、緊急放送の情報を通知するためにテレビジョン１００を制御可能な装置である。
【００３１】
通信装置１０は、テレビジョン１００と接続されるとともに、テレビジョン１００に取り付けられた状態で設けられる。これにより、例えば、テレビジョン１００が転倒したり、落下したりした場合にその状態を通信装置１０が把握することが可能となっている。なお、取り付け状態としてはテレビジョン１００と一体として設けられていなくても、テレビジョン１００の状態を把握することが可能であれば、例えば、ケーブル等で接続された状態としても良い。あるいは、テレビジョン１００の外部ではなく、筐体内に内蔵された構成とすることも可能である。
【００３２】
図２は、本実施の形態１に従うデジタル放送受信システムの機能ブロックを説明する図である。
【００３３】
図２を参照して、本実施の形態１に従う通信装置１０は、チューナ部２０と、緊急放送出力制御部３０と、スピーカ４０と、加速度センサ５０とを含む。
【００３４】
チューナ部２０は、アンテナ１２から受信したデジタル放送の放送波を受信してＡＣ信号を復号する。
【００３５】
緊急放送出力制御部３０は、チューナ部２０からのＡＣ信号を受けてテレビジョン１００に制御信号（一例として起動信号）を出力する。
【００３６】
スピーカ４０は、緊急放送出力制御部３０からの指示に従ってユーザに音声信号により報知する。例えば、警報音を報知することが可能である。
【００３７】
加速度センサ５０は、加速度を検知するセンサであり、センサ出力信号を緊急放送出力制御部３０に出力する。
【００３８】
本例におけるチューナ部２０は、「部分受信」あるいは「１セグメント」受信を実行する。
【００３９】
チューナ部２０は、受信部２２と、周波数変換部２４と、ＡＣ抽出部２６と、ＡＣ復号部２８とを含む。
【００４０】
受信部２２は、アンテナ１２と接続され、アンテナ１２を介して基地局からのデジタル放送の放送波を受信する。
【００４１】
周波数変換部２４は、受信部２２から出力される受信したデジタル放送波信号と、局部発振周波数信号とを混合して中間周波信号を出力する。例えば、周波数変換部２４は、受信部２２から入力された地上デジタルテレビジョン放送波のうち所定のフィルタにより不要な周波数成分を除去した後、中間周波信号に周波数変換するとともに適宜増幅して出力する。
【００４２】
ＡＣ抽出部２６は、周波数変換部２４における局部発振周波数信号により出力された受信したデジタル放送波信号に対応する中間周波信号からＡＣ信号を抽出する。
【００４３】
ＡＣ復号部２８は、ＡＣ抽出部２６によって抽出したＡＣ信号から緊急放送データを復号する。
【００４４】
そして、復号した緊急放送データは、緊急放送出力制御部３０に出力される。
緊急放送出力制御部３０は、受信した緊急放送データに緊急放送信号が含まれているか否かを判断する。そして、緊急放送信号が含まれていると判断した場合には、スピーカ４０および出力制御部３４にその旨を通知する。
【００４５】
異常信号生成部３６は、加速度センサ５０からのセンサ出力信号の入力を受けてテレビジョン１００の状態に異常が発生しているか否かを判断し、異常が発生していると判断した場合には、異常信号を出力制御部３４に出力する。
【００４６】
出力制御部３４は、テレビジョン１００がスタンバイ状態である場合に起動信号を出力することが可能であり、緊急放送信号の有無および異常信号の入力に基づいて起動信号をテレビジョン１００に出力する。
【００４７】
具体的には、異常信号生成部３６からの異常信号の入力が無ければ、緊急放送信号監視部３２からの緊急放送信号が有るとの判断結果に基づいて起動信号をテレビジョン１００に出力する。
【００４８】
一方で、異常信号生成部３６からの異常信号の入力が有る場合には緊急放送信号監視部３２からの緊急放送信号が有る場合であっても起動信号をテレビジョン１００に出力しない。
【００４９】
テレビジョン１００は、チューナ部１１０と、再生制御部１２０と、電源制御部１３０とを含む。
【００５０】
チューナ部１１０は、アンテナ１０２と接続されており、デジタル放送の放送波を受信する。当該チューナ部１１０は、本例において、「部分受信」ではなく「フルセグメント」受信を実行する。基本的な構成についてはチューナ部２０と同様である。
【００５１】
再生制御部１２０は、チューナ部２０における放送波の受信を制御するとともに、テレビジョン１００の電源制御部１３０を制御する。
【００５２】
再生制御部１２０は、出力制御部３４からの起動信号を受けて電源制御部１３０を制御してテレビジョン１００がスタンバイ状態である場合に起動させる。また、チューナ部１１０を制御して地上デジタルテレビジョン放送波の緊急放送を受信してユーザに通知する。
【００５３】
図３は、本実施の形態１に従うＡＣ信号の構成について説明する図である。
図３を参照して、ＡＣ信号は、フレーム長は、ＴＭＣＣ信号と同一であり、ＯＦＤＭ信号の２０４シンボルで構成される。
【００５４】
「差動復調の基準」は、例えば、ＩＳＤＢ−Ｔ方式の地上デジタルテレビジョン放送波の部分受信セグメント（セグメント番号＃０）におけるＡＣキャリアの場合、キャリア番号＃７，＃８９，＃２０６，＃２０９，＃２２６，＃２４４，＃３７７及び＃４０７の８箇所に対し割り当てられる値である。
【００５５】
「同期信号」は、１６ビットの同期信号であり、その値は「００１１０１０１１１１０１１１０」（奇数フレーム）及びその反転（偶数フレーム）という、奇数フレームと偶数フレームで異なる値をとる。
【００５６】
「起動フラグ信号」、「緊急放送識別信号」、「各種識別信号」、「緊急速報情報」は、緊急放送データである。
【００５７】
「起動フラグ信号」は、緊急放送の有無を識別する１ビットの情報である。「起動フラグ信号」の値は、緊急放送がある場合には、「０」のビットを表す値として「同期信号」の最後のシンボルの位相を継続し、緊急放送がない場合には、「１」のビットを表す値としてその位相を反転する。従って、起動フラグ信号は、緊急放送（例えば、地震動警報情報）の伝送の開始／終了を示すフラグ（開始／終了フラグ）として機能する。
【００５８】
「緊急放送識別信号」は、緊急放送の種別を示す信号である。緊急放送が緊急地震速報（地震動警報）を表すのか、緊急警報放送を表すのかといった情報を提供する。例えば、３ビットとし、「０００」を緊急地震速報、「００１」を緊急警報放送、「０１０」を緊急地震速報のテスト信号、「０１１」を緊急警報放送のテスト信号とする。
【００５９】
「起動フラグ信号」が「０」の値（緊急放送あり）を示した時に、「緊急放送識別信号」の値を読み、緊急放送の種別、つまり、緊急放送が何であるのかを識別する。
【００６０】
「各種識別信号」は、緊急放送に付随する情報信号や、放送事業者識別などの信号が該当する。放送事業者識別は、ＡＲＩＢ規格ＳＴＤ−Ｂ１４に準拠した識別信号が利用できる。この場合には、「放送地域識別」、「県複フラグ」、「地域事業者識別」が格納される。
【００６１】
「緊急速報情報」は、例えば、緊急地震速報のように放送とは別に伝達すべき情報があるものについて必要な情報を格納する部分である。たとえば、受信者がいる地域において、どれぐらいの規模／震度の地震がどれぐらいの時間の後に起こるか、を受信者に認知させることができる情報等である。一例として、地域毎に最大予測震度に関する情報等を含めることが可能である。
【００６２】
「リザーブビット」は、将来の拡張に向けた予備のビットである。
「パリティビット」は、誤り訂正に用いるパリティビットである。情報の信頼度を高め、より確実な伝送を可能とすることができる。
【００６３】
図４は、本実施の形態１に従う通信装置からテレビジョン１００に対する起動信号を出力するフロー図である。当該処理は、主に出力制御部３４における処理である。
【００６４】
図４を参照して、まず、出力制御部３４は、緊急放送信号が有るかどうかを判断する（ステップＳ２）。具体的には、抽出されたＡＣ信号の緊急放送データに基づいて緊急放送信号が有るかどうかを判断する。「起動フラグ信号」および「緊急放送識別信号」等に基づいて判断される。
【００６５】
ステップＳ２において、緊急放送信号が有ると判断した場合（ステップＳ２においてＹＥＳ）には、次に、テレビジョン（ＴＶ）状態を確認する（ステップＳ４）。具体的には、出力制御部３４は、異常信号生成部３６からの入力を確認する。
【００６６】
次に、異常信号が有るかどうかを判断する（ステップＳ６）。出力制御部３４は、異常信号の入力が有るかどうかを判断する。
【００６７】
ステップＳ６において異常信号が無いと判断した場合（ステップＳ６においてＮＯ）には、ＴＶ起動信号を出力する（ステップＳ８）。出力制御部３４は、起動信号をテレビジョン１００の再生制御部１２０に出力する。これによりテレビジョン１００がスタンバイ状態である場合に起動させて緊急放送をユーザに通知する。
【００６８】
そして、処理を終了する（エンド）。
一方、ステップＳ６において、異常信号が有ると判断した場合（ステップＳ６においてＹＥＳ）には、電源ＯＦＦの指令を出力する（ステップＳ１０）。出力制御部３４は、起動信号ではなく電源ＯＦＦの指令に関する制御信号を出力する。これによりテレビジョン１００の再生制御部１２０は、電源制御部１３０を制御して電源をＯＦＦする。
【００６９】
そして、処理を終了する（エンド）。
異常信号が無い場合には放送波に緊急放送信号が含まれている場合には、テレビジョン１００に起動信号を出力し、異常信号が有る場合には起動信号を出力せず、電源ＯＦＦ指令を出力する。これにより、テレビジョン１００の状態が異常で無い場合には起動信号に従い緊急放送の視聴が可能である。
【００７０】
一方、テレビジョン１００の状態が異常である場合には、緊急放送信号が含まれている場合であっても起動せず、電源ＯＦＦ指令を出力する。これにより、テレビジョン１００の状態が異常で、例えばテレビジョン１００が倒れたり、あるいは落下した場合に、例えば、電源がＯＮしている場合であっても電源ＯＦＦにより電源供給を停止することが可能である。そのため、仮に倒れたり、あるいは落下した際に、ショート等の断線状態が生じていた場合であっても、電源供給を停止して２次災害を防止することが可能である。
【００７１】
また、本例においては、テレビジョン１００に起動信号を出力する場合について説明したが、起動信号とともに、チャンネル情報を出力する方式とすることも可能である。
【００７２】
再生制御部１２０は、当該チャンネル情報の入力を受けてチューナ部１１０を制御して当該チャンネル情報に対応する放送波を受信する。
【００７３】
例えば、所定のチャンネルに対応するデジタル放送の放送波は、緊急放送コンテンツを含むことが予め分かっているような場合には、所定のチャンネル情報を起動信号とともに出力することによりテレビジョン１００を視聴するユーザは、特にチャンネルを合わせなくても当該指定されたチャンネル情報の緊急放送コンテンツを視聴することが可能である。
【００７４】
（実施の形態１の変形例）
図５は、本実施の形態１の変形例に従うデジタル放送受信システムの機能ブロックを説明する図である。
【００７５】
図５を参照して、本実施の形態１の変形例に従う通信装置１０Ｐは、図２で説明した通信装置１０と比較して、切り替え部５２をさらに設けた点が異なる。その他の点については、図２で説明したのと同様であるのでその詳細な説明は繰り返さない。
【００７６】
切り替え部５２は、出力制御部３４における処理において、異常信号生成部３６から出力される異常信号を利用するか否かを切り替える機能（異常信号に基づく機能をＯＮあるいはＯＦＦする機能）である。具体的には、切り替え部５２に従って、出力制御部３４における処理において、異常信号を利用する場合と、利用しない場合とを切り替えることが可能であるものとする。当該切り替え部５２は、ユーザが選択的に切り替え可能なスライドあるいはボタン操作等によるスイッチ等により実現することが可能である。
【００７７】
図６は、本実施の形態１の変形例に従う通信装置からテレビジョン１００に対する起動信号を出力するフロー図である。当該処理は、主に出力制御部３４における処理である。
【００７８】
図６を参照して、まず、ステップＳ２〜ステップＳ６までの処理は、図４で説明したのと同様である。
【００７９】
ステップＳ６において異常信号が無いと判断した場合（ステップＳ６においてＮＯ）には、ＴＶ起動信号を出力する（ステップＳ８）。出力制御部３４は、起動信号をテレビジョン１００の再生制御部１２０に出力する。これによりテレビジョン１００がスタンバイ状態である場合に起動させて緊急放送をユーザに通知する。
【００８０】
そして、処理を終了する（エンド）。
一方、ステップＳ６において、異常信号が有ると判断した場合（ステップＳ６においてＹＥＳ）には、異常信号に基づく機能がＯＮであるかどうかを判断する（ステップＳ９）。具体的には、切り替え部５２において異常信号を利用する場合が選択されているか否かを判断する。
【００８１】
ステップＳ９において、異常信号に基づく機能がＯＮである場合（ステップＳ９においてＹＥＳ）には、電源ＯＦＦの指令を出力する（ステップＳ１０）。出力制御部３４は、起動信号ではなく電源ＯＦＦの指令に関する制御信号を出力する。これによりテレビジョン１００の再生制御部１２０は、電源制御部１３０を制御して電源をＯＦＦする。
【００８２】
そして、処理を終了する（エンド）。
一方、ステップＳ９において、異常信号に基づく機能がＯＦＦである場合（ステップＳ９においてＮＯ）には、ステップＳ１０をスキップして、処理を終了する（エンド）。具体的には、切り替え部５２において異常信号を利用しない場合が選択されている場合には、何も処理せずに終了する。
【００８３】
当該切り替え部５２を設けることにより、ユーザの意思により異常信号に基づく機能の実行の有無を選択可能であるため利便性を高めることができる。例えば、地震等の震動により異常が検知されて異常信号が出力制御部３４に入力された場合であっても、電源ＯＦＦ指令により例えば緊急放送の視聴が遮断されることを希望しないユーザの要求に応えることが可能である。
【００８４】
（実施の形態２）
本実施の形態２においては、起動信号とともに、チャンネル情報を出力する方式について説明する。
【００８５】
図７は、本実施の形態２に従う通信装置１１の機能ブロックを説明する図である。
図７を参照して、通信装置１１は、アンテナ１２と、チューナ部２１と、緊急放送出力制御部３１とを含む。なお、スピーカ４０と、加速度センサ５０については図示を省略している。
【００８６】
チューナ部２１は、受信部２２と、周波数変換部２４と、ＡＤ変換部２５−１と、ＦＦＴ部２５−２と、ＡＣ抽出部２６と、誤り訂正部２７と、ＡＣ復号部２８と、レベル検出部２９−１と、局部発振器制御部２３とを含む。
【００８７】
図２で説明したのと同様の部分についてはその詳細な説明は繰り返さない。
ＡＤ変換部２５−１は、周波数変換部２４から出力される中間周波信号をデジタルに変換し、デジタルベースバンド信号を送出する。ＦＦＴ部２５−２は、ＯＦＤＭシンボルの有効シンボル期間についてＦＦＴ（Ｆａｓｔ Ｆｏｕｒｉｅｒ Ｔｒａｎｓｆｏｒｍ）演算を行い、ＯＦＤＭ形式のストリームに復調する。なお、有効シンボル期間は、ガードインターバル相関などによりシンボル同期を行って規定することができ、予め定めた伝送モードに従ったＦＦＴサンプル周波数でＦＦＴ演算を行う。
【００８８】
ＡＣ抽出部２６は、受信信号のＯＦＤＭ形式のストリームから、ＡＣキャリアを抽出して復調し、ＤＢＰＳＫされた該ＡＣキャリアを遅延検波した後、ＡＣ信号のビットストリームを得る。
【００８９】
誤り訂正部２７は、ＡＣ抽出部２６が出力するＡＣ信号のビットストリームに対し、差集合巡回符号方式のパリティビットに基づき誤り訂正を行う。尚、誤り訂正部２７は、誤り訂正ができず、パリティ検査結果が０にならなかった場合、あるいは、ＣＲＣの誤り検出により誤りが検出された場合には、後段のＡＣ復号部２８にその旨を通知する。
【００９０】
ＡＣ復号部２８は、誤り訂正部２７が出力した誤り訂正後のＡＣ信号のビットストリームから緊急放送の電文情報（緊急放送データ）を復号する。そして、緊急放送出力制御部３１に出力する。
【００９１】
レベル検出部２９−１は、周波数変換部２４から出力される中間周波信号の電力を測定する。レベル検出部２９−１は、局部発振器制御部２３が出力する周波数設定情報に対する情報としてチャンネル検出情報をチャンネルリスト作成部２９−２に出力する。なお、レベル検出部２９−１は、周波数変換部２４から出力される中間周波信号に対して図示しない自動利得制御が施される場合には、この自動利得制御後のレベルを検出するものとして構成することができる。
【００９２】
局部発振器制御部２３は、取得するチャンネルの放送波信号が中間周波信号の周波数帯内の信号に変換するように、周波数変換部２４内の局部発振器（図示せず）の発振周波数を制御する。ここで、「取得するチャンネル」は、チャンネル選択部３８からチャンネルリスト作成部２９−２へ出力される周波数設定情報に基づくものであり、放送波スキャン時においては、チャンネル選択部３８から指示されるタイミングに基づき、例えば最も周波数の低いチャンネルから順に設定される。
【００９３】
緊急放送出力制御部３１は、チャンネルリスト作成部２９−２と、緊急放送信号監視部３２と、出力制御部３４と、緊急放送登録部３５と、チャンネル選択部３８と、異常信号生成部３６とを含む。
【００９４】
チャンネル選択部３８は、放送波スキャン時において、通信装置１１が受信することが可能な番組のチャンネルを順にスキャンするために周波数設定情報を局部発振器制御部２３およびチャンネルリスト作成部２９−２に出力する。
【００９５】
チャンネルリスト作成部２９−２は、チャンネル選択部３８、レベル検出部２９−１、チャンネル選択部３８、及びＡＣ復号部２８が各々出力する周波数設定情報、チャンネル検出情報、及び「放送事業者識別」の情報を取得することにより、「放送局名」と「チャンネル番号」とを関連付けて、当該受信エリアにおけるチャンネルリストを作成し、保持することができる。
【００９６】
緊急放送登録部３５は、緊急放送信号監視部３２から出力される緊急放送信号の有無に従ってチャンネルリスト作成部２９−２で生成されるチャンネルリストに緊急放送の有無を登録する。
【００９７】
図８は、チャンネルリスト作成部２９−２で生成されるチャンネルリストの一例について説明する図である。
【００９８】
図８を参照して、ここでは、「放送局名」と、「チャンネル番号」と、「緊急放送の有無」とがそれぞれ関連付けられてリストとして登録されている場合が示されている。
【００９９】
チャンネル検出情報に従って、当該チャンネルで受信可能であることが検出され、その場合の周波数設定情報および「放送事業者識別」の情報に基づいて「チャンネル番号」と「放送局名」とを識別することが可能である。
【０１００】
一例として、ここでは、放送局「ＡＡ放送」、論理チャンネル「１」、緊急放送「有」がそれぞれ関連付けられている場合が示されている。また、放送局「ＢＢ放送」、論理チャンネル「４」、緊急放送「有」がそれぞれ関連付けられている場合が示されている。放送局「ＣＣ放送」、論理チャンネル「７」、緊急放送「無」がそれぞれ関連付けられている場合が示されている。緊急放送の「有」、「無」については緊急放送登録部３５により登録されたものである。なお、ここでは、所定の周波数と論理チャンネルの番号とが対応付けられている場合が示されている。
【０１０１】
図９は、本実施の形態２に従うチャンネルリストを作成するフロー図である。
図９を参照して、チャンネル選択部３８の放送波スキャンに従って局部発振器制御部２３が周波数変換部２４の局部発振器の周波数を順次設定し、論理チャンネルの変更を行って全論理チャンネルを確認したかどうかを判断する（ステップＳ２２）。
【０１０２】
ステップＳ２２において、全論理チャンネルを確認したと判断した場合（ステップＳ２２においてＹＥＳには、チャンネルリストを生成する（ステップＳ４４）。
【０１０３】
一方、ステップＳ２２において、全論理チャンネルを確認していないと判断した場合（ステップＳ２２においてＮＯ）には、確認していない論理チャンネル（周波数）に変更する（ステップＳ２４）。
【０１０４】
次に、周波数変換部２４は、局部発振器制御部２３の制御に従い論理チャンネル内の放送波を中間周波信号として抜き出し、レベル検出部２９−１によってそのチャンネル内の電力（以下、「チャンネル電力」と称する）を測定する（ステップＳ２６）。
【０１０５】
レベル検出部２９−１は、測定したチャンネル電力が基準とする電力、例えば、ＡＣ信号が正しく復号できる受信電力値を上回って検出されたかどうかを判断する（ステップＳ２８）。
【０１０６】
ステップＳ２８において、レベル検出部２９−１は、測定したチャンネル電力が基準電力よりも大きいと判断した場合（ステップＳ２８においてＹＥＳ）には、チャンネル検出情報をチャンネルリスト作成部２９−２に出力する。
【０１０７】
一方、ステップＳ２８において、レベル検出部２９−１は、測定したチャンネル電力が基準電力を満たさない場合には、ステップＳ２０に戻る。
【０１０８】
ＡＣ抽出部２６は、レベル検出部２９−１によってチャンネル検出情報が出力されると、ＡＣ信号内の同期情報に基づいて同期確立し、このチャンネル検出情報に従う放送波からＡＣ信号を抽出する（ステップＳ３０）。
【０１０９】
ＡＣ復号部２８は、抽出したＡＣ信号の緊急放送データを復号する（ステップＳ３４）。
【０１１０】
次に、ＡＣ信号の緊急放送データに含まれている「放送事業者識別」の情報を得て、放送事業者識別の認識処理を行う（ステップＳ３６）。そして、ＡＣ復号部２８からチャンネルリスト作成部２９−２に対して「放送事業者識別」の情報が出力される。
【０１１１】
次に、チャンネルリスト作成部２９−２は、得られた周波数設定情報、チャンネル検出情報、「放送事業者識別」が記憶する「放送局名」と「チャンネル番号」とを関連付けてチャンネルリストを作成し（チャンネルリスト追加）、保持する（ステップＳ３８）。
【０１１２】
そして、次に、緊急放送信号が有るかどうかを判断する（ステップＳ４０）。緊急放送信号監視部３２は、ＡＣ信号の緊急放送データに基づいて緊急放送信号が有るか否かを判断する。
【０１１３】
ステップＳ４０において、緊急放送信号が有ると判断した場合（ステップＳ４０においてＹＥＳ）には、緊急放送登録部３５は、チャンネルリストに緊急放送有りとして登録する（ステップＳ４２）。
【０１１４】
その後は、全ての論理チャンネルの確認が終了するまで、再び周波数の変更に戻り、同様な操作を繰り返す。
【０１１５】
全論理チャンネルにわたる調査が終了したら、チャンネルリストを作成する。
一方、ステップＳ４０において、緊急放送信号が無いと判断した場合（ステップＳ４０においてＮＯ）には、緊急放送登録部３５は、何もせず、ステップＳ２０に戻る。
【０１１６】
図１０は、本実施の形態２に従う出力制御部３４の制御処理について説明するフロー図である。
【０１１７】
図１０を参照して、出力制御部３４は、チャンネルリスト作成部２９−２において作成されたチャンネルリストを取得する（ステップＳ５０）。
【０１１８】
次に、取得したチャンネルリストからチャンネル情報を抽出する（ステップＳ５２）。
具体的には、チャンネルリストに含まれているチャンネルのうち緊急放送有りとして登録されているチャンネル情報を抽出する。
【０１１９】
そして、次に、当該チャンネル情報を再生制御部１２０に出力する（ステップＳ５４）。
【０１２０】
そして、処理を終了する（エンド）。
なお、当該チャンネル情報の出力は、実施の形態１で説明したように起動信号の出力とともに行われる。すなわち、異常信号生成部３６からの異常信号が無い場合には放送波に緊急放送信号が含まれている場合には、テレビジョン１００に起動信号とともに、チャンネル情報が出力される。
【０１２１】
一方、異常信号が有る場合には起動信号およびチャンネル情報を出力せず、電源ＯＦＦ指令を出力する。
【０１２２】
再生制御部１２０は、チャンネル情報の入力を受けてチューナ部１１０を制御して当該チャンネル情報に対応する放送波を受信する。なお、当該チャンネル情報は、緊急放送コンテンツを配信するチャンネルに関するものである。
【０１２３】
したがって、チャンネル情報を起動信号とともに出力することによりテレビジョン１００を視聴するユーザは、特にチャンネルを合わせなくても当該指定されたチャンネル情報の緊急放送コンテンツを視聴することが可能である。
【０１２４】
（実施の形態３）
ＡＣ信号には、緊急放送に対応する地域に関する情報が含まれている。本実施の形態３においては当該地域に関する地域情報を用いて起動信号をテレビジョン１００に出力する場合について説明する。
【０１２５】
図１１は、本実施の形態３に従うデジタル放送受信システムの機能ブロックを説明する図である。
【０１２６】
図１１を参照して、本実施の形態３に従うデジタル放送受信システムは、図２の構成と比較して、通信装置１０を通信装置１０＃に置換した点が異なる。その他の構成については同様であるのでその詳細な説明は繰り返さない。
【０１２７】
通信装置１０＃は、通信装置１０と比較して、緊急放送出力制御部３０を緊急放送出力制御部３０＃に置換した点が異なる。緊急放送出力制御部３０＃は、緊急放送出力制御部３０と比較して、さらに、地域比較部６０と、地域情報格納部６２とをさらに含めた点が異なる。その他の部分については同様である。
【０１２８】
本例における緊急放送信号監視部３２は、ＡＣ信号の緊急放送データに含まれている緊急放送に対応する地域情報を抽出して、地域比較部６０に出力する。
【０１２９】
地域情報格納部６２は、外部からのユーザの入力に従って、当該通信装置１０＃が位置する地域情報（例えば、市町村等の情報や郵便番号等）を格納する。なお、地域情報は、地域を特定することが可能であればどのような情報でもよい。
【０１３０】
地域比較部６０は、緊急放送信号監視部３２から出力された地域情報と、地域情報格納部６２に格納されている地域情報とを比較して、一致した場合あるいは、緊急放送信号監視部３２から出力された地域情報の範囲内に地域情報格納部６２に格納されている地域情報が含まれると判断した場合には、その旨を出力制御部３４に出力する。
【０１３１】
図１２は、本実施の形態３に従う通信装置からテレビジョン１００に対する起動信号を出力するフロー図である。当該処理は、主に出力制御部３４における処理である。
【０１３２】
図１２を参照して、まず、出力制御部３４は、緊急放送信号が有るかどうかを判断する（ステップＳ２）。具体的には、抽出されたＡＣ信号の緊急放送データに基づいて緊急放送信号が有るかどうかを判断する。「起動フラグ信号」および「緊急放送識別信号」等に基づいて判断される。
【０１３３】
ステップＳ２において、緊急放送信号が有ると判断した場合（ステップＳ２においてＹＥＳ）には、次に、テレビジョン（ＴＶ）状態を確認する（ステップＳ４）。具体的には、出力制御部３４は、異常信号生成部３６からの入力を確認する。
【０１３４】
次に、異常信号が無いかどうかを判断する（ステップＳ６）。出力制御部３４は、異常信号の入力が有るかどうかを判断する。
【０１３５】
ステップＳ６において異常信号が無いと判断した場合（ステップＳ６においてＹＥＳ）には、次に、地域情報を取得する（ステップＳ１２）。具体的には、地域比較部６０は、地域情報格納部６２に格納されている通信装置１０＃が位置する地域情報と、緊急放送信号監視部３２から出力された地域情報とを取得する。
【０１３６】
次に、地域情報が一致するかどうかを判断する（ステップＳ１４）。地域比較部６０は、緊急放送信号監視部３２から出力された地域情報と地域情報格納部６２から取得した地域情報が一致するか、あるいは、緊急放送信号監視部３２から出力された地域情報の範囲内に地域情報格納部６２に格納されている地域情報が含まれるか否かを判断する。含まれる場合も一致すると判断するものとする。
【０１３７】
ステップＳ１４において、地域情報が一致すると判断した場合（ステップＳ１４においてＹＥＳ）には、ＴＶ起動信号を出力する（ステップＳ８）。出力制御部３４は、起動信号をテレビジョン１００の再生制御部１２０に出力する。これによりテレビジョン１００がスタンバイ状態である場合に起動させて緊急放送をユーザに通知する。
【０１３８】
そして、処理を終了する（エンド）。
一方、ステップＳ６において、異常信号が有ると判断した場合（ステップＳ６においてＮＯ）には、電源ＯＦＦの指令を出力する（ステップＳ１０）。出力制御部３４は、起動信号ではなく電源ＯＦＦの指令に関する制御信号を出力する。これによりテレビジョン１００の再生制御部１２０は、電源制御部１３０を制御して電源をＯＦＦする。
【０１３９】
そして、処理を終了する（エンド）。
また、ステップＳ１４において、地域情報が一致しないと判断した場合（ステップＳ１４においてＮＯ）には、そのまま処理を終了する（エンド）。地域が一致しないため起動信号を出力せず、そのまま終了する。
【０１４０】
当該処理により、緊急放送の対応する地域を確認して、一致する場合にのみ起動信号が出力されるため無用に起動信号が出力されて、テレビジョンが起動することを防ぐことが可能である。
【０１４１】
（実施の形態３の変形例）
上記の実施の形態３においては、緊急放送の対応する地域を確認して、地域が一致する場合にのみ起動信号を出力する場合について説明したが、本変形例においては、地域が一致する場合にのみスピーカ等の出力部を制御して緊急である旨を通知（報知）する方式について説明する。
【０１４２】
図１３は、本実施の形態３の変形例に従うデジタル放送受信システムの機能ブロックを説明する図である。
【０１４３】
図１３を参照して、本実施の形態３の変形例に従うデジタル放送受信システムは、図９の構成と比較して、通信装置１０＃を通信装置１０Ｑに置換した点が異なる。その他の構成については同様であるのでその詳細な説明は繰り返さない。
【０１４４】
通信装置１０Ｑは、通信装置１０＃と比較して、緊急放送出力制御部３０＃を緊急放送出力制御部３０Ｑに置換するとともに、スピーカ４０を出力部９０に変更した点が異なる。
【０１４５】
出力部９０は、音声を出力するスピーカ、光を出力する発光素子あるいは振動する振動素子等の少なくとも１つあるいはこれらを組み合わせたものにより実現される。
【０１４６】
緊急放送出力制御部３０Ｑは、緊急放送出力制御部３０＃と比較して、出力部９０を制御する出力調整部８０をさらに含めた点が異なる。その他の部分については同様である。
【０１４７】
出力調整部８０は、緊急放送信号監視部３２からの出力と、地域比較部６０の比較結果とに基づいて出力部９０を制御する。具体的には、地域比較部６０の比較結果すなわち地域が一致する場合に緊急放送信号監視部３２からの出力に従って緊急である旨を通知（報知）する。通知する方式としては、音声、光、あるいは振動等により行うことが可能である。また、出力調整部８０は、緊急放送信号監視部３２から出力される震度情報に従って出力部９０からの出力レベルを調整する。例えば、震度の値が大きい場合に音量を上げたり、あるいは振動レベルを最大にして、ユーザに緊急の度合いを音声、あるいは振動等で通知（報知）する。
【０１４８】
図１４は、本実施の形態３の変形例に従う出力部９０における出力を制御するフロー図である。当該処理は、主に出力調整部８０における処理である。
【０１４９】
図１４を参照して、まず、出力調整部８０は、緊急放送信号が有るかどうかを判断する（ステップＳ１０２）。具体的には、緊急放送信号監視部３２から緊急放送信号が有る旨の通知が有ったかどうかを判断する。なお、緊急放送信号が有るまでステップＳ１０２の状態を維持する。
【０１５０】
ステップＳ１０２において、緊急放送信号が有ると判断した場合（ステップＳ１０２においてＹＥＳ）には、次に、地域情報が一致するかどうかを判断する（ステップＳ１０４）。具体的には、地域比較部６０は、緊急放送信号監視部３２から出力された地域情報と地域情報格納部６２から取得した地域情報が一致するか、あるいは、緊急放送信号監視部３２から出力された地域情報の範囲内に地域情報格納部６２に格納されている地域情報が含まれるか否かを判断する。含まれる場合も一致すると判断するものとする。そして、地域が一致する場合には、その旨を出力調整部８０に出力する。出力調整部８０は、地域比較部６０からの比較結果として地域が一致した旨の信号の入力を受けたかどうかを判断する。
【０１５１】
ステップＳ１０４において、地域情報が一致すると判断した場合（ステップＳ１０４においてＹＥＳ）には、震度情報を取得する（ステップＳ１０６）。当該震度情報は、緊急放送データの「緊急速報情報」に含まれている情報から取得することが可能であるため、緊急放送信号監視部３２にて当該震度情報を取得する。
【０１５２】
そして、次に、取得した震度情報に応じて出力部９０から出力する（ステップＳ１０８）。
【０１５３】
具体的には、出力調整部８０は、震度情報に応じて出力部９０の出力レベルを調整する。例えば、震度の値が大きい場合に音量を上げたり、あるいは振動レベルを最大にして、ユーザに緊急の度合いを音声あるいは振動等で通知（報知）する。
【０１５４】
当該処理により、緊急放送の対応する地域を確認して、一致する場合にのみ出力部９０において緊急である旨の情報が出力（報知）されるため無用に緊急である旨の情報が出力されることを防ぐことが可能である。さらに、震度情報に応じてその出力レベルが調整されるため、ユーザは容易に緊急状態の度合いを把握することが可能であり安全システムとしても有用に利用することが可能である。
【０１５５】
（実施の形態４）
上記の実施の形態においては、基地局２からの緊急放送を受信して、緊急放送の情報を通知するためにテレビジョン１００を制御する通信装置について説明した。
【０１５６】
本実施の形態４においては、当該通信装置が別の（他の）通信装置に対して無線通信により緊急放送の情報を通知することが可能な構成について説明する。
【０１５７】
図１５は、本実施の形態４に従うデジタル放送受信システムの概略を説明する図である。
【０１５８】
図１５を参照して、図１で説明したデジタル放送受信システムと比較して、通信装置およびテレビジョンがさらに設けられている点で異なる。具体的には、テレビジョン１００Ａ〜１００Ｃが設けられ、それぞれに対応して通信装置１０Ａ〜１０Ｃが接続されている場合が示されている。
【０１５９】
本例においては、通信装置１０Ａから通信装置１０Ｂおよび通信装置１０Ｃに対して緊急放送の情報を通知する場合が示されている。
【０１６０】
図１６は、本実施の形態４に従うデジタル放送受信システムの機能ブロックを説明する図である。
【０１６１】
図１６を参照して、ここでは、テレビジョン１００Ａに接続される通信装置１０Ａの機能ブロックが示されている。
【０１６２】
通信装置１０Ａは、通信装置１０と比較して、アンテナ１２がアンテナ１２Ａに変更されるとともに、アンテナ１２Ｂ、１２Ｃをさらに設ける点と、当該アンテナ１２Ｂ、１２Ｃとそれぞれ接続される緊急制御信号送信部７５と、緊急制御信号受信部７０とをさらに設けた点が異なる。その他の構成については図２で説明したのと同様であるのでその詳細な説明は繰り返さない。
【０１６３】
緊急制御信号送信部７５は、緊急放送信号監視部３２からの出力に従って緊急放送の情報に関する緊急制御信号を、無線通信により他の通信装置に対してアンテナ１２Ｂを介して発信する。なお、無線通信の方式については特に限定されないが、混信しない周波数帯域を利用することが望ましい。
【０１６４】
緊急制御信号受信部７０は、アンテナ１２Ｃを介して他の通信装置から発信された緊急制御信号を受信して、受信した場合にその旨を出力制御部３４に出力する。なお、他の通信装置の緊急制御信号送信部７５で発信された緊急制御信号を受信可能なように受信する周波数帯域等が予め設定されているものとする。
【０１６５】
なお、各テレビジョン１００Ａ〜１００Ｃおよび各通信装置１０Ａ〜１０Ｃの構成については、同様の構成であるものとする。
【０１６６】
図１７は、本実施の形態４に従う通信装置１０Ａからテレビジョン１００に対する起動信号を出力するフロー図である。当該処理は、主に出力制御部３４における処理である。
【０１６７】
図１７を参照して、まず、出力制御部３４は、緊急制御信号が有るかどうかを判断する（ステップＳ３）。具体的には、出力制御部３４は、緊急制御信号受信部７０で受信された緊急制御信号について、緊急制御信号受信部７０からその旨の通知を受けたかどうかを判断する。
【０１６８】
ステップＳ３において、緊急制御信号が有ると判断した場合（ステップＳ３においてＹＥＳ）には、次に、テレビジョン（ＴＶ）状態を確認する（ステップＳ４）。具体的には、出力制御部３４は、異常信号生成部３６からの入力を確認する。
【０１６９】
次に、異常信号が有るかどうかを判断する（ステップＳ６）。出力制御部３４は、異常信号の入力が有るかどうかを判断する。
【０１７０】
ステップＳ６において異常信号が無いと判断した場合（ステップＳ６においてＮＯ）には、ＴＶ起動信号を出力する（ステップＳ８）。出力制御部３４は、起動信号をテレビジョン１００の再生制御部１２０に出力する。これによりテレビジョン１００がスタンバイ状態である場合に起動させて緊急放送をユーザに通知する。
【０１７１】
そして、処理を終了する（エンド）。
一方、ステップＳ６において、異常信号が有ると判断した場合（ステップＳ６においてＹＥＳ）には、電源ＯＦＦの指令を出力する（ステップＳ１０）。出力制御部３４は、起動信号ではなく電源ＯＦＦの指令に関する制御信号を出力する。これによりテレビジョン１００の再生制御部１２０は、電源制御部１３０を制御して電源をＯＦＦする。
【０１７２】
そして、処理を終了する（エンド）。
異常信号が無い場合に緊急制御信号を受信した場合には、テレビジョン１００に起動信号を出力し、異常信号が有る場合には起動信号を出力せず、電源ＯＦＦ指令を出力する。これにより、テレビジョン１００の状態が異常で無い場合には起動信号に従い緊急放送の視聴が可能である。
【０１７３】
一方、テレビジョン１００の状態が異常である場合には、緊急制御信号を受信した場合であっても起動せず、電源ＯＦＦ指令を出力する。これにより、テレビジョン１００の状態が異常で、例えばテレビジョン１００が倒れたり、あるいは落下した場合に、例えば、電源がＯＮしている場合であっても電源ＯＦＦにより電源供給を停止することが可能である。そのため、仮に倒れたり、あるいは落下した際に、ショート等の断線状態が生じていた場合であっても、電源供給を停止して２次災害を防止することが可能である。
【０１７４】
当該構成により、緊急放送を受信した場合に、放送波とは別に、通信装置から、緊急放送が有ったことを示す緊急制御信号を外部に発信することが可能である。そして、発信された当該緊急制御信号を受信した別の通信装置は、緊急放送の情報を通知するためにテレビジョン１００を制御することが可能となる。
【０１７５】
例えば、ある通信装置が緊急放送を受信した場合に、当該通信装置が基点となって緊急制御信号を発信することが可能となるため基地局からの電波を受信し難い近隣の地域に緊急放送の情報を通知することが可能となるため、より緊急性に優れた安全システムを構築することが可能である。
【０１７６】
なお、本例においては、緊急放送を受信した通信装置が緊急制御信号を送信する場合について説明したが、緊急制御信号を受信した通信装置がさらに緊急制御信号を別の通信装置に対して発信するようにすることも可能である。当該方式により基地局からの緊急放送が受信できない場合であっても緊急制御信号が通信装置を介して伝播することにより緊急性に優れた安全システムを構築することが可能である。
【０１７７】
なお、緊急制御信号の発信および受信に関する機能について、上述した切り替え部によりその機能のＯＮ／ＯＦＦを制御することを可能としても良い。
【０１７８】
（その他の形態）
上記の例においては、主に、ＡＣ信号を用いた例として緊急放送信号の有無について判断する場合について説明したが、ＴＭＣＣ信号についてもＡＣ信号と基本的に同様のフレーム構成であり同様に適用可能である。また、両方を組み合わせて判断することも可能である。
【０１７９】
また、本例においては、テレビジョン１００の状態（落下あるいは転倒等の状態）を監視する手段として、加速度センサを用いた例について説明したが、特に加速度センサに限られず、角速度センサを用いてもテレビジョン１００の状態を監視することが可能である。
【０１８０】
また、上記通信装置の構成として、常にデジタル放送の放送波を受信して、緊急放送信号を受信したか否かを監視するのではなく、所定期間毎に間欠的に監視する方式とすることも可能である。当該方式により通信装置の電力消費を抑えることが可能である。
【０１８１】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１８２】
２  基地局、１０，１０＃，１０Ａ〜１０Ｃ，１０Ｐ，１０Ｑ、１１  通信装置、１２，１２Ａ，１２Ｂ，１２Ｃ，１０２  アンテナ、２０，２１，１１０  チューナ部、２２  受信部、２３  局部発振器制御部、２４  周波数変換部、２５−１  ＡＤ変換部、２５−２  ＦＦＴ部、２６  ＡＣ抽出部、２７  誤り訂正部、２８  ＡＣ復号部、２９−１  レベル検出部、２９−２  チャンネルリスト作成部、３０，３１，３０＃，３０Ｑ  緊急放送出力制御部、３２  緊急放送信号監視部、３４  出力制御部、３５  緊急放送登録部、３６  異常信号生成部、３８  チャンネル選択部、４０  スピーカ、５０  加速度センサ、５２  切り替え部、６０  地域比較部、６２  地域情報格納部、７０  緊急制御信号受信部、７５  緊急制御信号送信部、８０  出力調整部、９０  出力部、１００，１００Ａ〜１００Ｃ  テレビジョン、１２０  再生制御部、１３０  電源制御部。
【図１】
2014042227.tif 000003
【図２】
2014042227.tif 000004
【図３】
2014042227.tif 000005
【図４】
2014042227.tif 000006
【図５】
2014042227.tif 000007
【図６】
2014042227.tif 000008
【図７】
2014042227.tif 000009
【図８】
2014042227.tif 000010
【図９】
2014042227.tif 000011
【図１０】
2014042227.tif 000012
【図１１】
2014042227.tif 000013
【図１２】
2014042227.tif 000014
【図１３】
2014042227.tif 000015
【図１４】
2014042227.tif 000016
【図１５】
2014042227.tif 000017
【図１６】
2014042227.tif 000018
【図１７】
2014042227.tif 000019